(57)【特許請求の範囲】
【請求項１】
矩形状の前後面が通気用に開放され、前後面の周囲のいずれかの側面にフィルタユニットが挿入される開閉可能な挿入口を設けたフィルタ取り付けケースにおいて、この取り付けケースに装着されるフィルタユニットの前面側または後面側に、フィルタユニットの挿入方向と平行な、フィルタユニットの２つの辺縁にそれぞれ近接させて、回動自在なフィルタ支持軸をこれらの辺縁に沿わせて差し渡し、これらの各フィルタ支持軸に、フィルタ支持軸と直交する方向に延びるアーム部の先端に、前記フィルタ支持軸と平行な平行部を設け、この平行部に回転自在なリング部材を嵌め込んだ、先端部が滑らかな曲面で形成されたフィルタ押し付け部を設け、収納されるフィルタユニットの前記フィルタ支持軸側と前後反対側にフィルタ支持枠を設け、前記フィルタ支持軸を回動させることにより、前記各フィルタ押し付け部を、対向するフィルタユニットの前面側または後面側の、前記各辺縁部分に押し当て、フィルタユニットを前記フィルタ支持枠に押し付けて装着するようにしたことを特徴とするフィルタ取り付けケース。
【請求項２】
前記フィルタ支持軸が、前記装着されるフィルタユニットと反対側の背面側を弾性体により支持され、前記フィルタユニットの前面側または後面側に向かって進退可能に形成された請求項１に記載のフィルタ取り付けケース。
【発明の詳細な説明】
【０００１】
【発明の属する技術分野】
この発明は、前後面が通気用に開放され、フィルタユニットが側面側から挿入されるフィルタ取り付けケースに関するものである。
【０００２】
【従来の技術】
前後面方向に通気させるフィルタ取り付けケースには、その取り付け部位により、フィルタユニットを前後面側から挿入するものと、側面側から挿入するものとがある。挿入されるフィルタユニットは、取り付けケースとの間に隙間が生じて濾過機能が損なわれないように、ケース内に設けた支持枠に押し付けられた状態で装着される。
【０００３】
上記フィルタユニットを側面側から挿入するフィルタ取り付けケースでは、フィルタ挿入口と反対側の奥に手を差し入れることができず、フィルタユニットを支持枠に押し付けて装着するのが困難な場合がある。
【０００４】
この課題に対して、実公平５−１３３７６号公報に開示されたフィルタ取り付けケースは、図５に示すように、開閉扉３１が設けられた側面の挿入口３２から挿入されるフィルタユニット３３の前面側に前部支持突縁３４を差し渡し、前部支持突縁３４に前後方向にスライド可能な調整部材３５を嵌め、この調整部材３５にフィルタユニット３３の前面を押圧する板ばね３６を取り付けた構成を採用している。
【０００５】
前記フィルタユニット３３は、開閉扉３１を開けて支持レール３７に沿って挿入される。このとき、フィルタユニット３３は、板ばね３６によって後面側の後部支持突縁３８に押し付けられながらケースの奥まで押し込まれ、ケース内に装着される。なお、フィルタユニット３３の後面側縁には、シール部材が取り付けられており、フィルタユニット３３はこのシール部材を介して後部支持突縁３８に押し付けられる。
【０００６】
前記調整部材３５は、フィルタユニット３３の厚みに応じて、板ばね３６の押圧力を調整するためのものであり、図示は省略するが、その両端部近くに調整ボルトが取り付けられ、この調整ボルトにコイルばねを嵌めるとともに、調整ボルトを前部支持突縁３４に遊嵌して、その先端にナットを嵌めている。したがって、このナットを操作することにより、予め調整部材３５の前後方向位置が位置決めされる。
【０００７】
【発明が解決しようとする課題】
上述した従来のフィルタユニットを側面側から挿入するフィルタ取り付けケースでは、挿入時にフィルタユニットが板ばねで支持枠としての後部支持突縁に押し付けられながら押し込まれるため、フィルタユニットに取り付けられたシール部材が剥がれやすい問題がある。また、この押し込みをスムーズに行うために、板ばねの押圧力をあまり大きくすることができないので、支持枠へのフィルタユニットの押し付けが不十分となり、高い濾過機能を確保できない問題もある。
【０００８】
そこで、この発明の課題は、容易にフィルタユニットを出し入れでき、かつフィルタユニットを支持枠に十分に押し付けて高い濾過機能を確保できるフィルタ取り付けケースを提供することである。
【０００９】
【課題を解決するための手段】
上記の課題を解決するために、この発明は、矩形状の前後面が通気用に開放され、前後面の周囲のいずれかの側面にフィルタユニットが挿入される開閉可能な挿入口を設けたフィルタ取り付けケースにおいて、この取り付けケースに装着されるフィルタユニットの前面側または後面側に、フィルタユニットの挿入方向と平行な、フィルタユニットの２つの辺縁にそれぞれ近接させて、回動自在なフィルタ支持軸をこれらの辺縁に沿わせて差し渡し、これらの各フィルタ支持軸に、所定の半径方向に突き出し、先端部が滑らかな曲面で形成されたフィルタ押し付け部を設け、収納されるフィルタユニットの前記フィルタ支持軸側と前後反対側にフィルタ支持枠を設け、前記フィルタ支持軸を回動させることにより、前記各フィルタ押し付け部を、対向するフィルタユニットの前面側または後面側の、前記各辺縁部分に押し当て、フィルタユニットを前記フィルタ支持枠に押し付けて装着する構成を採用したものである。
【００１０】
すなわち、フィルタユニットをフィルタ支持枠に押し付けるフィルタ押し付け部を、フィルタユニットの挿入方向と平行に差し渡した回動自在なフィルタ支持軸に設け、このフィルタ支持軸を回動させて、フィルタ押し付け部でフィルタユニットをフィルタ支持枠に押し付けるようにすることにより、フィルタユニットの前後面を拘束しない状態でスムーズにケース内に出し入れでき、かつ、装着時にフィルタユニットをフィルタ支持枠に十分に押し付けることができるようにした。
【００１１】
前記フィルタ支持軸を、前記装着されるフィルタユニットと反対側の背面側を弾性体により支持し、前記フィルタユニットの前面側または後面側に向かって進退可能に形成することにより、フィルタユニットの厚みが多少変化しても、確実にフィルタユニットをフィルタ支持枠に押し付けることができる。
【００１２】
前記フィルタ押し付け部を、前記フィルタ支持軸の所定の半径方向に突き出すアーム部の先端に、前記フィルタ支持軸と平行な平行部を設け、この平行部に回転自在なリング部材を嵌め込んだものとすることにより、このリング部材をフィルタユニットの押し当て面で転動させ、フィルタユニットの挿入時および取り出し時における前記フィルタ支持軸の回動をスムーズに行うことができる。
【００１３】
【発明の実施の形態】
以下、図１乃至図４に基づき、この発明の実施形態を説明する。このフィルタ取り付けケースは、図１および図２に示すように、矩形状の前面１と後面２が通気用に開放され、手前側の横側面３にフィルタユニット４の挿入口５が設けられ、この挿入口５に開閉扉６が取り付けられている。フィルタユニット４が収納される空間の前面側には、上下側面７、８の左右両端部に支持具９が取り付けられ、これらの左右の支持具９に、レバー１０で回動されるフィルタ支持軸１１が、フィルタユニット４の上下辺縁にそれぞれ近接させて差し渡されている。各支持軸１１の左右両端近くには、後述するフィルタ押し付け部１２が設けられ、レバー１０でフィルタ支持軸１１を回動させることにより、各フィルタ押し付け部１２がフィルタユニット４前面側の上下辺縁部分に押し当てられ、フィルタユニット４を後面側のフィルタ支持枠１３に押し付けるようになっている。フィルタユニット４は、その後面側の周縁に取り付けられたウレタンゴム製のシール部材１４を介して、支持枠１３に押し付けられる。
【００１４】
前記開閉扉６はヒンジ１４で横側面３に取り付けられ、閉じられた開閉扉６は回動式の錠１５で横側面３に固定される。開閉扉６の裏面周縁には、ここからの空気の漏れを防止するために、ウレタンゴム製のシール部材１６が取り付けられている。前記下側面８には２本のレール１７が取り付けられ、挿入口５から挿入されるフィルタユニット４は、このレール１７の上に沿って押し込まれ、奥側の横側面に貼付されたクッションパッド１８に押し当てられる。なお、前記支持軸１１よりも前面側の空間には、プレフィルタ装着用の支持枠１９も設けられている。プレフィルタ（図示省略）は、単に支持枠１９に差し込まれるのみで装着される。
【００１５】
図３および図４は、前記下側面８に取り付けられた支持具９の部分を拡大して示す。なお、上側面７側も基本的な構成は同じであり、上下の向きのみが異なる。支持具９はボルト２０とナット２１で下側面８に取り付けられ、前記支持軸１１は、支持具９に設けられた、フィルタユニット４側に開口する水平溝２２に嵌め込まれ、水平溝２２の中央部に設けられた穴２３に取り付けられたコイルばね２４で、水平溝２２の開口側へ付勢されている。水平溝２２の開口近くには、支持軸１１の抜け止め用の止めねじ２５が取り付けられている。また、水平溝２２の両端外側には、下向きに約１０°の角度で傾斜するストッパ面２６が形成されている。
【００１６】
前記フィルタ押し付け部１２は、支持軸１１と直交する方向に延びる２本のアーム部２７と、これらのアーム部２７の先端を繋ぐ支持軸１１と平行な平行部２８より成り、平行部２８に回転自在なリング部材２９が嵌め込まれている。なお、支持軸１１を回動させるレバー１０は、各アーム部２７と同じ方向に向けて設けられている。
【００１７】
図４（ａ）に示すように、フィルタユニット４を取り付けケースに装着する際は、レバー１０を水平方向に倒して支持軸１１を回動し、フィルタ押し付け部１２の平行部２８に嵌め込まれたリング部材２９を、フィルタユニット４の前面に押し当てて転動させ、フィルタユニット４を前記後面側の支持枠１３に押し付ける。フィルタ押し付け部１２の各アーム部２７は、フィルタユニット４からの反力で元に戻らないように、水平位置よりも下に押し下げられ、前記ストッパ面２６に押し当てられている。
【００１８】
図４（ｂ）に示すように、フィルタユニット４を出し入れするときは、レバー１０が垂直に立てられる。これに伴ってフィルタ押し付け部１２も上方に退避するので、フィルタユニット４は拘束なしの状態で、取り付けケース内にスムーズに出し入れされる。
【００１９】
上述した実施形態では、１つのフィルタユニットを装着するフィルタ取り付けケースを示し、各フィルタ支持軸に２つのフィルタ押し付け部を設けたが、複数のフィルタユニットを横方向に並べて装着する取り付けケースの場合は、各フィルタユニットに対応させて、フィルタ支持軸にフィルタユニットの数に応じたフィルタ押し付け部を設ければよい。フィルタ押し付け部の形態としては、実施形態のものの他に、１本のアーム部の先端に平行部を設けたもの、平行部をころ等の転動体で形成したもの、リング部材やころ等の転動体を用いず、アーム部先端の曲面部を摩擦係数の小さい素材で形成したもの等を採用することができる。
【００２０】
また、この実施形態では、フィルタ支持軸の支持具を上下側面に取り付けたが、左右の横側面に取り付けてもよく、複数のフィルタユニットを上下方向に並べて装着する場合は、各フィルタユニットの上下端位置に合わせて、フィルタ支持軸の支持具を横側面に取り付けることもできる。
【００２１】
さらに、この実施形態では、フィルタユニットの挿入口を横側面に設けたが、上下側面のいずれかに設けることもできる。
【００２２】
【発明の効果】
以上のように、この発明のフィルタ取り付けケースは、フィルタユニットを支持枠に押し付けるフィルタ押し付け部を、フィルタユニットの挿入方向と平行に差し渡した回動自在なフィルタ支持軸に設け、このフィルタ支持軸を回動させて、フィルタ押し付け部でフィルタユニットを支持枠に押し付けるようにしたので、フィルタユニットを前後面の拘束なしの状態でスムーズに出し入れでき、かつ、装着時にフィルタユニットを支持枠に十分に押し付けることができる。
【００２３】
前記フィルタ支持軸を、収納されるフィルタユニットと反対側の背面側を弾性体により支持し、フィルタユニットの前面側または後面側に向かって進退可能に形成することにより、フィルタユニットの厚みが多少変化しても、確実にフィルタユニットを支持枠に押し付けることができる。
【００２４】
前記フィルタ押し付け部を、フィルタ支持軸の所定の半径方向に突き出すアーム部の先端に、フィルタ支持軸と平行な平行部を設け、この平行部に回転自在なリング部材を嵌め込んだものとすることにより、このリング部材をフィルタユニットの押し当て面で転動させ、フィルタユニットの出し入れ時におけるフィルタ支持軸の回動をスムーズに行うことができる。
【図面の簡単な説明】
【図１】フィルタ取り付けケースの実施形態を示す一部切欠き側面図
【図２】図１の一部を示す斜視図
【図３】図１の要部を拡大して示す平面断面図
【図４】ａは図３のIV−IV線に沿った断面図、ｂはａのレバーを立てた状態を示す断面図
【図５】従来のフィルタ取り付けケースの一部を示す斜視図
【符号の説明】
１  前面
２  後面
３  側面
４  フィルタユニット
５  挿入口
６  開閉扉
７、８  側面
９  支持具
１０  レバー
１１  支持軸
１２  押し付け部
１３  支持枠
１４  シール部材
１５  錠
１６  シール部材
１７  レール
１８  クッションパッド
１９  支持枠
２０  ボルト
２１  ナット
２２  溝
２３  穴
２４  コイルばね
２５  止めねじ
２６  ストッパ面
２７  アーム部
２８  平行部
２９  リング部材
【図１】
0004260287.tif 000002
【図２】
0004260287.tif 000003
【図３】
0004260287.tif 000004
【図４】
0004260287.tif 000005
【図５】
0004260287.tif 000006